【手続補正書】
【提出日】平成17年3月11日(2005.3.11)
【手続補正１】
【補正対象書類名】明細書
【補正対象項目名】特許請求の範囲
【補正方法】変更
【補正の内容】
【特許請求の範囲】
【請求項１】
左チャンネル，右チャンネル，左リアチャンネル，右リアチャンネルの少なくとも４チャンネルで構成されるオーディオ信号を、それぞれのチャンネル用のスピーカから放音させるオーディオ再生方法において、
上記４チャンネルのオーディオ信号に基づいて、所定の残響信号を生成させ、生成された残響信号を各チャンネルのオーディオ信号に付加して、各チャンネル用のスピーカから放音させると共に、
上記４チャンネルのオーディオ信号の内の少なくとも左リアチャンネルと右リアチャンネルの２チャンネルのオーディオ信号に基づいて、それぞれのチャンネルのオーディオ信号を出力する実スピーカ位置とは異なる所定位置に音像がある仮想音像信号を生成させ、生成された仮想音像信号を上記左リアチャンネル及び右リアチャンネルのオーディオ信号に混合し、それぞれのチャンネル用のスピーカから放音させる
オーディオ再生方法。
【請求項２】
請求項１記載のオーディオ再生方法において、
上記仮想音像信号の生成は、上記所定位置からオーディオ信号を放音した場合の聴取者の耳元までの音響伝達関数を使用して生成させる
オーディオ再生方法。
【請求項３】
左チャンネル，右チャンネル，左リアチャンネル，右リアチャンネルの少なくとも４チャンネルで構成されるオーディオ信号を、左チャンネル用のスピーカと右チャンネル用のスピーカから放音させるオーディオ再生方法において、
上記４チャンネルのオーディオ信号に基づいて、所定の残響信号を生成させ、生成された残響信号を各チャンネルのオーディオ信号に付加すると共に、
この残響信号が付加された４チャンネルのオーディオ信号の内の少なくとも左リアチャンネルと右リアチャンネルの２チャンネルのオーディオ信号に基づいて、所定位置に音像がある仮想音像信号を生成させ、生成された仮想音像信号を、上記残響信号が付加された左チャンネル及び右チャンネルのオーディオ信号に混合し、この混合された左チャンネル及び右チャンネルのオーディオ信号を、それぞれのチャンネル用のスピーカから放音させる
オーディオ再生方法。
【請求項４】
請求項３記載のオーディオ再生方法において、
上記仮想音像信号の生成は、上記所定位置からオーディオ信号を放音した場合の聴取者の耳元までの音響伝達関数を使用して生成させ、
上記所定位置として、左リアチャンネル及び右リアチャンネルのスピーカが本来配置される位置を含む複数の位置に設定した
オーディオ再生方法。
【請求項５】
請求項３記載のオーディオ再生方法において、
残響信号が付加された左リアチャンネルと右リアチャンネルの２チャンネルのオーディオ信号に基づいた上記仮想音像信号の他に、残響信号が付加されてないオーディオ信号に基づいた仮想音像信号を生成させ、それぞれの仮想音像信号を、上記残響信号が付加された左チャンネル及び右チャンネルのオーディオ信号に混合する
オーディオ再生方法。
【請求項６】
左チャンネル，右チャンネル，左リアチャンネル，右リアチャンネルの少なくとも４チャンネルで構成されるオーディオ信号が得られる入力部と、
上記入力部に得られる４チャンネルのオーディオ信号に基づいて、所定の残響信号を生成する残響処理部と、
上記入力部に得られる４チャンネルのオーディオ信号の内の少なくとも左リアチャンネルと右リアチャンネルの２チャンネルのオーディオ信号に基づいて、それぞれのチャンネルのオーディオ信号を出力する実スピーカ位置とは異なる所定位置に音像がある仮想音像信号を生成する仮想音像処理部と、
上記残響処理部で生成された残響信号を、上記４チャンネルのオーディオ信号に付加すると共に、上記仮想音像処理部で生成された仮想音像信号を、上記左リアチャンネル及び右リアチャンネルのオーディオ信号に混合して、それぞれのチャンネルのスピーカ用のオーディオ信号として出力する出力部とを備えた
オーディオ信号処理装置。
【請求項７】
請求項６記載のオーディオ信号処理装置において、
上記仮想音像処理部での仮想音像信号の生成は、上記所定位置からオーディオ信号を放音した場合の聴取者の耳元までの音響伝達関数を使用して生成させた
オーディオ信号処理装置。
【請求項８】
左チャンネル，右チャンネル，左リアチャンネル，右リアチャンネルの少なくとも４チャンネルで構成されるオーディオ信号が得られる入力部と、
上記入力部に得られる４チャンネルのオーディオ信号に基づいて、所定の残響信号を生成し、各チャンネルのオーディオ信号に残響信号を付加する残響処理部と、
上記残響処理部で残響信号が付加された４チャンネルのオーディオ信号の内の少なくとも左リアチャンネルと右リアチャンネルの２チャンネルのオーディオ信号に基づいて、所定位置に音像がある仮想音像信号を生成し、その生成された仮想音像信号を、上記残響処理部で残響信号が付加された左チャンネルと右チャンネルのオーディオ信号に混合する仮想音像処理部と、
上記仮想音像処理部で仮想音像信号が混合された左チャンネルと右チャンネルのオーディオ信号を、それぞれのチャンネルのスピーカ用のオーディオ信号として出力する出力部を備えた
オーディオ信号処理装置。
【請求項９】
請求項８記載のオーディオ信号処理装置において、
上記仮想音像処理部での仮想音像信号の生成は、上記所定位置からオーディオ信号を放音した場合の聴取者の耳元までの音響伝達関数を使用して生成させ、
上記所定位置として、左リアチャンネル及び右リアチャンネルのスピーカが本来配置される位置を含む複数の位置に設定した
オーディオ信号処理装置。
【請求項１０】
請求項８記載のオーディオ信号処理装置において、
上記仮想音像処理部は、残響信号が付加された左リアチャンネルと右リアチャンネルの２チャンネルのオーディオ信号に基づいた上記仮想音像信号の他に、残響信号が付加されてないオーディオ信号に基づいた仮想音像信号を生成し、それぞれの仮想音像信号を、上記残響信号が付加された左チャンネル及び右チャンネルのオーディオ信号に混合する処理を行う
オーディオ信号処理装置。
【手続補正２】
【補正対象書類名】明細書
【補正対象項目名】０１２１
【補正方法】変更
【補正の内容】
【０１２１】
請求項２に記載したオーディオ再生方法によると、請求項１に記載した発明において、仮想音像信号の生成は、仮想音源位置からオーディオ信号を放音した場合の聴取者の耳元までの音響伝達関数を使用して生成させることで、仮想位置に音源を配置することが簡単な処理で良好に行える。
【手続補正３】
【補正対象書類名】明細書
【補正対象項目名】０１２３
【補正方法】変更
【補正の内容】
【０１２３】
請求項４に記載したオーディオ再生方法によると、請求項３に記載した発明において、仮想音像信号の生成は、仮想音源の位置からオーディオ信号を放音した場合の聴取者の耳元までの音響伝達関数を使用して生成させ、仮想音源の位置として、左リアチャンネル及び右リアチャンネルのスピーカが本来配置される位置を含む複数の位置に設定したことで、フロントの２チャンネルのスピーカだけを使用して、聴取者を囲む良好な音場再現ができる。
【手続補正４】
【補正対象書類名】明細書
【補正対象項目名】０１２６
【補正方法】変更
【補正の内容】
【０１２６】
請求項７に記載したオーディオ信号処理装置によると、請求項６に記載した発明において、仮想音像処理部での仮想音像信号の生成は、仮想音源の位置からオーディオ信号を放音した場合の聴取者の耳元までの音響伝達関数を使用して生成させたことで、仮想位置に音源を配置することが簡単な構成で良好に行える。
【手続補正５】
【補正対象書類名】明細書
【補正対象項目名】０１２８
【補正方法】変更
【補正の内容】
【０１２８】
請求項９に記載したオーディオ信号処理装置によると、請求項８に記載した発明において、仮想音像処理部での仮想音像信号の生成は、所定位置からオーディオ信号を放音した場合の聴取者の耳元までの音響伝達関数を使用して生成させ、仮想音源の位置として、左リアチャンネル及び右リアチャンネルのスピーカが本来配置される位置を含む複数の位置に設定したことで、フロントの２チャンネルのスピーカだけを使用して、聴取者を囲む良好な音場再現ができるオーディオ信号処理が行える。